(57)【特許請求の範囲】
【請求項１】
容器本体が首部を胴部の縦方向中心軸に対して片側に傾けた、首曲がりボトル形状を備えており、胴部を押圧することで内容液を吐出させる容器本体の口首部に、ノズルキャップが取り付けられたノズルキャップ付き容器であって、
前記容器本体の前記胴部は、上端部分において、その中心位置を縦方向中心軸から側方に偏心させつつ、その中空断面形状を徐々に縮径させた、先絞りの形状の前記首部を有しており、
前記容器本体は、前記首部の先端に連続する前記口首部を、前記胴部の縦方向中心軸に対して側方に偏心させた位置から、該偏心させた方向とは反対側に傾けて突出させており、
前記容器本体は、上端部分の先絞り部となっている前記首部において、当該首部を偏心させた側方の側面を、縦方向の断面が外側に凸の湾曲面となった、湾曲凸面を介して前記口首部の基端部に接合させた形状を備えており、
前記ノズルキャップのノズル部は、液溜め凹部の底面壁部の中央部分から立設して、前記口首部の先端開口面から突出した状態で設けられると共に、下端部分を前記底面壁部の下方まで延設させて設けられており、
前記ノズルキャップのノズル部は、前記胴部を押圧した際に内容液を先端吐出口から線状に連続吐出させる吐出ガイド流路を備えており、
且つ該吐出ガイド流路は、前記容器本体側から前記先端吐出口側に向けて流路の断面積を拡大させた、テーパー形状部分を有しており、後端流入口を前記容器本体の内側領域に配置して設けられているノズルキャップ付き容器。
【請求項２】
前記容器本体は、首部を胴部の縦方向中心軸に対して片側に傾けて突出させた、首曲がりボトル形状を備えており、底部から首部にかけて湾曲状の稜線部を形成するようになっており、且つ前記胴部の縦方向中心軸に対して、首曲がり側、もしくは反首曲がり側を把持して使用することでボトル内の内容液が、湾曲状の稜線部の形状に沿って流動することによりノズル部に勢いを持って接触する請求項１記載のノズルキャップ付き容器。
【請求項３】
前記吐出ガイド流路は、１〜１０ｍｍの内径を備えると共に、１７〜６０ｍｍの流路長さを備えていて、当該吐出ガイド流路に沿って内容液を案内しつつ吐出させるようになっている請求項１又は２記載のノズルキャップ付き容器。
【請求項４】
前記吐出ガイド流路の前記テーパー形状部分は、前記吐出ガイド流路の軸方向に対するテーパー角度が、０．５〜１０°となっている請求項１〜３のいずれか１項記載のノズルキャップ付き容器。
【発明の詳細な説明】
【技術分野】
【０００１】
本発明は、ノズルキャップ付き容器に関し、特に胴部を押圧することで内容液を吐出させる容器本体の口首部にノズルキャップが取り付けられたノズルキャップ付き容器に関する。
【背景技術】
【０００２】
容器本体の胴部を押圧することで内容液を吐出させる容器として、スクイズ容器が一般的に知られている。スクイズ容器では、内容液が収容された、例えば可撓性を有する合成樹脂製のボトル形状の容器本体を傾倒させると共に、容器本体の口首部に取り付けられたノズルキャップのノズル部の先端吐出口を吐出箇所に向けた状態で、容器本体の胴部を押圧することにより、内部の圧力を高めて、内容液を先端吐出口から線状に連続吐出させることが可能である（例えば、特許文献１参照）。
【０００３】
また、スクイズ容器のノズルキャップは、ノズル部に、相当の長を有する吐出ガイド流路を備えている。この吐出ガイド流路を通過させて内容液を先端吐出口から吐出させることにより、内容液を、吐出ガイド流路の延長方向に方向付けさせながら、安定した状態で線状に連続吐出させることが可能である。
【先行技術文献】
【特許文献】
【０００４】
【特許文献１】特開２００８−２４３３９
【発明の概要】
【発明が解決しようとする課題】
【０００５】
一方、容器本体の胴部を押圧することで内容液を吐出させるスクイズ容器では、容器本体の胴部が可撓性を有しているので、内容液を吐出させる際に、容器本体を傾倒させて収容された内容液が口首部に送られると、口首部の内側領域に送られて充填された内容液が、胴部を把持した手や指からの圧力を容器本体が受けることで、胴部を積極的に押圧していないスクイズ前の状態においても、不用意に且つ勢い良く、内容液がノズルキャップのノズル部の先端吐出口から吐出して、周囲のものを汚す場合がある。
【０００６】
特に、トイレ掃除用の液体洗剤が収容された容器本体が、例えば洋式便器の開口周縁部の内側張出し段差部に向けて、斜め下方から洗剤を吐出させ易い形状として、いわゆる首曲がりボトル形状を備えるスクイズ容器となっている場合には（図４（ａ）、（ｂ）参照）、容器本体を傾倒させながらノズルキャップのノズル部の先端吐出口を、洋式便器の内側張出し段差差部に向けてゆく操作の途中で、内容液が、不用意に且つ勢い良く先端吐出口から吐出して、洋式便器の外側に飛び出すことがある。
【０００７】
本発明は、胴部を押圧することで内容液を吐出させる容器本体の口首部に取り付けられた、ノズルキャップのノズル部の先端吐出口から、胴部を積極的に押圧していないスクイズ前の状態で、内容液が、不用意に且つ勢い良く吐出するのを効果的に抑制できるノズルキャップ付き容器を提供することを目的とする。
【課題を解決するための手段】
【０００８】
本発明は、容器本体が首部を胴部の縦方向中心軸に対して片側に傾けた、首曲がりボトル形状を備えており、胴部を押圧することで内容液を吐出させる容器本体の口首部に、ノズルキャップが取り付けられたノズルキャップ付き容器であって、前記ノズルキャップのノズル部は、前記胴部を押圧した際に内容液を先端吐出口から線状に連続吐出させる吐出ガイド流路を備えており、且つ該吐出ガイド流路は、前記容器本体側から前記先端吐出口側に向けて流路の断面積を拡大させた、テーパー形状部分を有しているノズルキャップ付き容器を提供することにより、上記目的を達成したものである。
【発明の効果】
【０００９】
本発明のノズルキャップ付き容器によれば、胴部を押圧することで内容液を吐出させる容器本体の口首部に取り付けられた、ノズルキャップのノズル部の先端吐出口から、胴部を積極的に押圧していないスクイズ前の状態で、内容液が、不用意に且つ勢い良く吐出するのを効果的に抑制することができる。
【図面の簡単な説明】
【００１０】
【図１】本発明の好ましい一実施形態に係るノズルキャップ付き容器の正面図である。
【図２】ノズルキャップが取り付けられた容器本体の口首部の断面図である。
【図３】ノズルキャップの断面図である。
【図４】（ａ）、（ｂ）は、ノズルキャップ付き容器を把持して、ノズル部の先端吐出口を洋式便器の内側張出し段差部に向けてゆく操作を説明する略示斜視図である。
【発明を実施するための形態】
【００１１】
本発明の好ましい一実施形態に係るノズルキャップ付き容器１０は、図１に示すように、内容液として、例えばトイレ掃除用の液体洗剤を収容した合成樹脂製のボトル形状の容器本体１１と、この容器本体１１の口首部１２に一体として取り付けられたノズルキャップ１４とを含んで構成されている。また、本実施形態のノズルキャップ付き容器１０は、スクイズ容器として機能する容器本体１１の胴部１３が、表裏一対の正面壁部１３ａを、互いに近接させる方向に弾性変形可能な可撓性を備えている。胴部１３を把持して傾倒させた状態で、一対の正面壁部１３ａを挟み込むようにして押圧することで、容器本体１１をスクイズ変形させつつ内部に圧力を加えることによって、ノズルキャップ１４のノズル部１５の先端吐出口１５ａから、内容液を吐出できるようになっている。さらに、本実施形態のノズルキャップ付き容器１０は、例えば容器本体１１を傾倒させながらノズルキャップ１４のノズル部１５の先端吐出口１５ａを吐出箇所に向けてゆく操作の途中の、胴部１３を積極的に押圧していないスクイズ前の状態で、ノズル部１５の先端吐出口１５ａから、内容液が不用意に且つ勢い良く吐出するのを効果的に抑制できるようにする機能を備える（図４（ａ）、（ｂ）参照）。
【００１２】
そして、本実施形態のノズルキャップ付き容器１０は、図１に示すように、容器本体１１が首部１３ｂを胴部１３の縦方向中心軸Ｃに対して片側に傾けた、首曲がりボトル形状を備えており、胴部１３を押圧することで内容液を吐出させる容器本体１１の口首部１２に、ノズルキャップ１４が取り付けられた、スクイズ変形可能な容器であって、ノズルキャップ１４のノズル部１５は、図２及び図３に示すように、胴部１３を押圧した際に内容液を先端吐出口１５ａから線状に連続吐出させる吐出ガイド流路１６を備えており、且つ吐出ガイド流路１６は、容器本体１１側から先端吐出口１５ａ側に向けて流路の断面積を拡大させた、テーパー形状部分１６ａを有している。
【００１３】
また、本実施形態では、容器本体１１は、首部１３ｂを胴部１３の縦方向中心軸Ｃに対して片側に傾けて突出させた、首曲がりボトル形状を備えており、底部１７から首部１３ｂにかけて湾曲状の稜線部１３ｅを形成するようになっており、且つ胴部１３の縦方向中心軸Ｃに対して、首曲がり側、もしくは反首曲がり側を把持して使用することでボトル内の内容液が、湾曲状の稜線部１３ｅの形状に沿って流動することによりノズル部１５に勢いを持って接触するようになっている。
【００１４】
さらに、本実施形態では、吐出ガイド流路１６は、好ましくは１〜１０ｍｍの内径を備えると共に、１７〜６０ｍｍの流路長さを備えていて、当該吐出ガイド流路１６に沿って内容液を案内しつつ吐出させるようになっている。
【００１５】
本実施形態では、容器本体１１は、例えば高分子化合物等の合成樹脂からなるブロー成形品であって、スクイズ変形可能なボトル形状を有している。容器本体１１は、図１に示すように、胴部１３と、口首部１２と、底部１７とからなり、底部１７を載置面に載置することで、立設させた状態で店頭に陳列したり、家庭内で保管したりすることができるようになっている。容器本体１１の胴部１３は、例えば長軸及び短軸を有する扁平な略楕円又は略長円の中空断面形状を有している。容器本体１１の胴部１３は、底部１７とは反対側の上端部分において、その中心位置を胴部１３の縦方向中心軸Ｃから長軸の一方の端部側に偏心させつつ、その中空断面形状を徐々に縮径させた、先絞りの形状の首部１３ｂを有している。また容器本体１１は、図４（ａ）、（ｂ）に示すように、例えば洋式便器５０の開口周縁部の内側張出し段差部５１に向けて斜め下方からトイレ掃除用の液体洗剤を吐出させ易い形状として、いわゆる首曲がりボトル形状を備えている。
【００１６】
すなわち、本実施形態では、容器本体１１は、図１に示すように、首部１３ｂの先端に連続する口首部１２を、胴部１３の縦方向中心軸Ｃに対して側方に偏心させた位置から、この偏心させた方向とは反対側に傾けて突出させた、首曲がりボトル形状を備えている。また、本実施形態では、容器本体１１は、上端部分の先絞り部となっている首部１３ｂにおいて、当該首部１３ｂを偏心させた一方の端部側の側面を、縦方向の断面が外側に凸の滑らかな湾曲面となった、湾曲凸面１３ｃを介して口首部１２の基端部に接合させた形状を備えていると共に、他方の端部側の側面を、縦方向の断面が内側に凹の滑らかな湾曲面となった、湾曲凹面１３ｄを介して口首部１２の基端部に接合させた形状を備えている。これによって、容器本体１１は、斜めに傾いて突出する口首部１２が下方に配置されるように当該容器本体１１を傾倒させた際に、容器本体１１に収容された内容液を、先絞り部となっている首部１３ｂの湾曲凸面１３ｃの稜線部１３ｅの内側面を介して滑らかに且つスムーズに流下させると共に、ノズルキャップ１４が取り付けられた口首部１２に向けて、勢い良く送り出すことができるようになっている。
【００１７】
本実施形態では、ノズルキャップ１４は、例えば高分子化合物等の合成樹脂からなる射出成形品であって、図２及び図３に示すように、円環状嵌込み係合部１８と、該円環状嵌込み係合部１８の内側壁部１８ａの下方に形成された液溜め凹部１９と、該液溜め凹部１９の底面壁部１９ａの中央部分から一体として立設して設けられたノズル部１５とからなる。
【００１８】
円環状嵌込み係合部１８は、内側壁部１８ａと天面壁部１８ｂと外側壁部１８ｃとからなる略コの字断面形状を備えている。外側壁部１８ｃの下端部内周面には、係合凸リブ１８ｄが設けられている。この係合凸リブ１８ｄを、容器本体１１の口首部１２の先端部外周面に設けられた被係合凸リブ１２ａに係合することによって、口首部１２の先端部を内側壁部１８ａと外側壁部１８ｃとの間に挟み込むと共に、口首部１２の先端面を天面壁部１８ｂの下面に当接させた状態で、ノズルキャップ１４が、容器本体１１の口首部１２に装着固定される。
【００１９】
液溜め凹部１９は、円環状嵌込み係合部１８の内側壁部１８ａの下方に連設する内筒壁部１９ｂと、内筒壁部１９ｂの下端部に連設する底面壁部１９ａとによって周囲を囲まれることで形成されている。液溜め凹部１９には、例えば容器本体１１を傾倒させると共にスクイズ変形させて、内容液をノズル部１５の先端吐出口１５ａから所定量吐出させた後に、押圧を開放して正立状態に戻した際に、ノズル部１５の外周面を伝って下方に液垂れした内容液が液溜めされる。これによって、ノズル部１５の外周面を伝って液垂れした内容液が、口首部１２の外周面に付着するのを効果的に回避することが可能になる。また液溜め凹部１９の底面壁部１９ａに支持されて、ノズル部１５が、内筒壁部１９ｂから離間した状態で立設している。
【００２０】
ノズル部１５は、内側に吐出ガイド流路１６が形成された、縦長中空の円筒形状部分である。本実施形態では、ノズル部１５は、液溜め凹部１９を形成する底面壁部１９ａの中央部分から立設して、口首部１２の先端開口面から相当程度の高さで突出した状態で設けられると共に、下端部分を底面壁部１９ａの下方まで延設させて、底面壁部１９ａを貫通させた状態で設けられている。これによって、ノズル部１５の吐出ガイド流路１６は、後端流入口１６ｂを、容器本体１１の内側領域である、口首部１２の内側領域に配置した状態で設けられる。またノズルキャップ１４は、容器本体１１の口首部１２に装着固定された状態では、これのノズル部１５の吐出ガイド流路１６の軸方向が、容器本体１１の口首部１２の軸方向と一致又は略一致するように容器本体１１の口首部１２に取り付けられている。
【００２１】
ノズル部１５の吐出ガイド流路１６の後端流入口１６ｂが容器本体１１（口首部１２）の内側領域に配置されていることにより、ノズル部１５の後端流入口１６ｂにかかる内容液の圧力を低下させて液飛びが発生するのを防ぐことが可能になる。
【００２２】
また、本実施形態では、ノズルキャップ１４のノズル部１５は、１７〜６０ｍｍの長さを備える。これによってノズル部１５を縦方向に貫通して形成された吐出ガイド流路１６もまた、１７〜６０ｍｍの流路長さを備えると共に、吐出ガイド流路１６は、１〜１０ｍｍの内径を有している。これらによって、容器本体１１を傾倒させると共に胴部１３を押圧して、内容液をノズル部１５の先端吐出口１５ａから吐出させる際に、相当の長さの吐出ガイド流路１６を通過させてから内容液を吐出させることにより、吐出方向を吐出ガイド流路１６の延長方向に方向付けさせながら、内容液を安定した状態で線状に連続吐出させることが可能になる。
【００２３】
さらに、本実施形態では、ノズル部１５を縦方向に貫通して形成された吐出ガイド流路１６は、好ましくはその全長に亘って、容器本体１１側から先端吐出口１５ａ側に向けて流路の断面積を拡大させた、テーパー形状部分１６ａとなっている。
【００２４】
ここで、吐出ガイド流路１６のテーパー形状部分１６ａは、吐出ガイド流路１６の軸方向に対するテーパー角度が、０．５〜１０°となっていることが好ましく、０．５〜５°となっていることがさらに好ましく、０．５〜１°となっていることが特に好ましい。吐出ガイド流路１６のテーパー形状部分１６ａのテーパー角度が１〜１０°となっていることにより、容器を傾けた際のノズルからの液飛びを効果的に防ぐことが可能になる。
【００２５】
また、本実施形態では、図２に示すように、ノズルキャップ付き容器１０を使用していない時に、ノズルキャップ１４のノズル部１５を覆って着脱可能に装着される、蓋キャップ２０が設けられている。蓋キャップ２０は、略切頭円錐形状の蓋本体部２１と、蓋本体部２１の下端部から連続して下方に延設する、略円筒形状の装着スカート部２２とからなる。蓋キャップ２０は、例えば装着スカート部２２の内側面に設けられた螺合突条２２ａを、容器本体１１の口首部１２の外周面に設けられた螺合突条１２ｃに螺着することで、蓋本体部２１の天面部内側面によってノズル部１５の先端吐出口１５ａを閉塞した状態で、容器本体１１の口首部１２を覆って取り付けられる。また、蓋本体部２１の天面部内側面から下方に突出して、インナーリング部２１ａが設けられている。容器本体１１の口首部１２を覆って蓋キャップ２０が取り付けられた際に、インナーリング部２１ａが、ノズル部１５の先端吐出口１５ａの内周縁部に沿って嵌め込まれることで、強固に止水した状態で先端吐出口１５ａを閉塞することが可能になる。さらに、蓋本体部２１の中間部内側面から下方に突出して、当接リング部２１ｂが設けられている。容器本体１１の口首部１２を覆って蓋キャップ２０が取り付けられた際に、当接リング部２１ｂの先端が、ノズルキャップ１４の円環状嵌込み係合部１８の天面壁部１８ｂを挟んで口首部１２の先端に当接する。これによって、装着スカート部２０が口首部１２に過度に螺着されて、インナーリング部２０ｄや、ノズル部１５の先端部が破損するのを、効果的に回避することが可能になる。
【００２６】
そして、上述の構成を備えるノズルキャップ付き容器１０によれば、胴部１３を押圧することで内容液を吐出させる容器本体１１の口首部１２に取り付けられた、ノズルキャップ１４のノズル部１５の先端吐出口１５ａから、胴部１３を積極的に押圧していないスクイズ前の状態で、内容液が、不用意に且つ勢い良く吐出するのを効果的に抑制することが可能になる。
【００２７】
すなわち、本実施形態によれば、ノズル部１５の内部に形成されて、胴部１３を押圧した際に内容液を案内して先端吐出口１５ａから線状に連続吐出させる吐出ガイド流路１６は、容器本体１１側から先端吐出口１５ａ側に向けて流路の断面積を拡大させた、テーパー形状部分１６ａを有している。したがって、本実施形態のノズルキャップ付き容器１０によれば、内容液を案内して先端吐出口から線状に連続吐出させる吐出ガイド流路が、断面積に変化の無い直線状となっているものや、先端吐出口側に向けて流路の断面積を縮小させる先絞り形状となっているものと比較して、流路を通過する内容液の流速を、先端吐出口１５ａに近づくにつれて効果的に低減させてゆくことが可能になる。これによって、内容液を吐出させる際に、容器本体１１を傾倒させて口首部１２の内側領域に送られて充填された内容液が、胴部１３を把持した手や指からの圧力を容器本体１１が受けることで、胴部１３を積極的に押圧していないスクイズ前の状態で、不用意に且つ勢い良く、内容液がノズル部１５の先端吐出口１５ａから吐出して、周囲のものを汚すことになるのを、効果的に回避することが可能になる。
【００２８】
また特に、本実施形態では、容器本体１１が、例えば洋式便器５０の開口周縁部の内側張出し段差部５１に向けて、斜め下方から洗剤を吐出させ易い形状として、いわゆる首曲がりボトル形状を備えるスクイズ容器となっており、斜めに傾いて突出する口首部１２が下方に配置されるように当該容器本体１１を傾倒させた際に、容器本体１１に収容された内容液が、先絞り部１３ｂの湾曲凸面１３ｃの内側面を介して滑らかに且つスムーズに流下して、口首部１２に向けて、勢い良く送り出されるようになっている。また、容器本体１１は、首部１３ｂを胴部１３の縦方向中心軸Ｃに対して片側に傾けて突出させた、首曲がりボトル形状を備えており、底部１７から首部１３ｂにかけて湾曲状の稜線部１３ｅを形成するようになっており、且つ胴部１３の縦方向中心軸Ｃに対して、首曲がり側、もしくは反首曲がり側を把持して使用することでボトル内の内容液が、湾曲状の稜線部１３ｅの形状に沿って流動することによりノズル部１５に勢いを持って接触するようになっている（図４（ａ）、（ｂ））。しかしながら、本実施形態によれば、ノズル部１５の内部に形成された吐出ガイド流路１６が、上述のような構成を備えているので、容器本体１１を傾倒させながらノズルキャップ１４のノズル部１５の先端吐出口１５ａを、洋式便器５０の内側張出し段差差部５１に向けてゆく操作の途中で、内容液が、不用意に且つ勢い良く先端吐出口１５ａから吐出して、洋式便器５０の外側に飛び出すのを効果的に回避することが可能になる。
【００２９】
なお、本発明は上記実施形態に限定されることなく種々の変更が可能である。例えば、吐出ガイド流路は、その全長に亘って、容器本体側から先端吐出口側に向けて流路の断面積を拡大させた、テーパー形状部分となっている必要は必ずしも無く、相当の長さ領域に亘って、その一部にテーパー形状部分が形成されている場合でも同様の作用効果が奏される。また、容器本体は、首曲がりボトル形状を備えている必要は必ずしもない。容器本体に収容される内容液は、トイレ掃除用の液体洗剤の他、その他の液体洗剤や食用の液体等の、種々の内容液であっても良い。
【符号の説明】
【００３０】
１０  ノズルキャップ付き容器
１１  容器本体
１２  口首部
１３  胴部
１３ａ  正面壁部
１３ｂ  首部（先絞り部）
１３ｃ  湾曲凸面
１３ｄ  湾曲凹面
１３ｅ  湾曲状の稜線部
１４  ノズルキャップ
１５  ノズル部
１５ａ  先端吐出口
１６  吐出ガイド流路
１６ａ  テーパー形状部分
１６ｂ  後端流入口
１６ｃ  先端流出口
１７  底部
１８  円環状嵌込み係合部
１９  液溜め凹部
２０  蓋キャップ
Ｃ    縦方向中心軸
【図１】
0005971982.tif 000002
【図２】
0005971982.tif 000003
【図３】
0005971982.tif 000004
【図４】
0005971982.tif 000005